(57)【要約】【課題】複数の特徴を有するコンテンツで構成され、各特徴を有するコンテンツを所望の比率で組合せた再生リストを容易に生成可能な、再生リスト生成装置、再生リスト生成方法およびプログラムを提供する。【解決手段】コンテンツ特徴を各々に割当てられた２以上の色から任意の色をユーザに選択させ、選択された色のイメージをタッチパネル１２０上でユーザに描画させるイメージ描画部１０１と、描画されたイメージ全体Ｉにおいて、各色で描画されたイメージＩｒ、Ｉｇ、Ｉｂ、Ｉｙの描画面積の色比率を求めるイメージ分析部１０３と、再生リストＰＬを構成するコンテンツのコンテンツ特徴を割当てられた色の比率と、描画面積の色比率が一致するように、再生リストを生成する再生リスト生成部１０５と、を備える。【選択図】図１
2011123561.tif 000002
【特許請求の範囲】
【請求項１】
コンテンツ特徴を各々に割当てられた２以上の色から任意の色をユーザに選択させ、前記選択された色のイメージを表示画面上でユーザに描画させるイメージ描画部と、
描画されたイメージ全体において、各色で描画されたイメージの描画面積の色比率を求めるイメージ分析部と、
再生リストを構成するコンテンツの前記コンテンツ特徴を割当てられた色の比率と、前記描画面積の色比率が一致するように、前記再生リストを生成する再生リスト生成部と、
を備える再生リスト生成装置。
【請求項２】
前記コンテンツは、楽曲のテンポに関する情報を有する楽曲コンテンツであり、
前記イメージ分析部は、前記各色で描画されたイメージの曲率をさらに求め、
前記再生リスト生成部は、前記描画面積の色比率とともに、前記イメージの曲率に対応する楽曲のテンポを考慮して、前記再生リストを生成する、請求項１に記載の再生リスト生成装置。
【請求項３】
前記コンテンツは、楽曲のテンポに関する情報を有する楽曲コンテンツであり、
前記イメージ分析部は、前記各色で描画されたイメージの描画速度をさらに求め、
前記再生リスト生成部は、前記描画面積の色比率とともに、前記イメージの描画速度に対応する楽曲のテンポを考慮して、前記再生リストを生成する、請求項１に記載の再生リスト生成装置。
【請求項４】
前記イメージ分析部は、前記各色で描画されたイメージの描画順序をさらに求め、
前記再生リスト生成部は、前記各色で描画されたイメージの描画順序に従って、前記各色に割当てられたコンテンツ特徴を有するコンテンツが再生されるように、前記再生リストを生成する、請求項１〜３のいずれか１項に記載の再生リスト生成装置。
【請求項５】
前記再生リスト生成部は、前記イメージ全体における描画面積に応じた数のコンテンツで構成される再生リストを生成する、請求項１〜４のいずれか１項に記載の再生リスト生成装置。
【請求項６】
前記選択された色に割当てられたコンテンツ特徴に該当する複数のコンテンツが存在する場合に、
前記再生リスト生成部は、前記コンテンツ特徴に該当する複数のコンテンツからランダムに選択されたコンテンツで構成される再生リストを生成する、請求項１〜５のいずれか１項に記載の再生リスト生成装置。
【請求項７】
他の装置との間で前記描画されたイメージ全体を共有する、請求項１〜６のいずれか１項に記載の再生リスト生成装置。
【請求項８】
タッチパネルを搭載した携帯型の情報処理装置であり、
前記イメージ描画部は、前記選択された色のイメージを前記タッチパネル上でユーザに描画させる、請求項１〜７のいずれか１項に記載の再生リスト生成装置。
【請求項９】
コンテンツ特徴を各々に割当てられた２以上の色から、任意の色をユーザに選択させ、前記選択された色のイメージを表示画面上でユーザに描画させるステップと、
描画されたイメージ全体において、各色で描画されたイメージの描画面積の色比率を求めるステップと、
再生リストを構成するコンテンツの前記コンテンツ特徴を割当てられた色の比率と、前記描画面積の色比率が一致するように、前記再生リストを生成するステップと、
を含む再生リスト生成方法。
【請求項１０】
コンテンツ特徴を各々に割当てられた２以上の色から、任意の色をユーザに選択させ、前記選択された色のイメージを表示画面上でユーザに描画させるステップと、
描画されたイメージ全体において、各色で描画されたイメージの描画面積の色比率を求めるステップと、
再生リストを構成するコンテンツの前記コンテンツ特徴を割当てられた色の比率と、前記描画面積の色比率が一致するように、前記再生リストを生成するステップと、
を含む再生リスト生成方法をコンピュータに実行させるためのプログラム。
【発明の詳細な説明】
【技術分野】
【０００１】
本発明は、再生リスト生成装置、再生リスト生成方法およびプログラムに関する。
【背景技術】
【０００２】
コンテンツ再生装置では、再生リスト（プレイリストとも称される。）に従って、楽曲や映像・画像等、複数のコンテンツを再生する場合がある。再生リストは、コンテンツ再生装置自体や再生リスト生成装置により生成される。
【０００３】
再生リストは、ユーザが所望のコンテンツを手動で選択したり、装置がユーザにより指定された条件を満たすコンテンツを自動で選択したりして生成される。しかし、手動選択では、所望のコンテンツを選択できるが、再生リストの生成に手間を要する場合がある。一方、自動選択では、比較的手間を要さずに再生リストを生成できるが、所望のコンテンツを選択できない場合があり、ユーザが条件の指定を煩雑に感じてしまう場合もある。
【０００４】
このため、下記特許文献１には、ユーザが所望の色を選択し、選択された色に関連付けられた特徴を有する楽曲コンテンツを、装置が自動で選択して再生リストを生成する方法が記載されている。上記方法では、楽曲コンテンツの特徴（音圧変動値、音圧平均値）が色に関連付けられており、選択された色に対応する一定の特徴を有するコンテンツが自動で選択される。よって、ユーザは、所望の色を直感的に選択することで、一定の特徴を有するコンテンツで構成される再生リストを容易に生成することができる。
【先行技術文献】
【特許文献】
【０００５】
【特許文献１】特開２００８−２５０７１０号公報
【発明の概要】
【発明が解決しようとする課題】
【０００６】
しかし、上記方法では、一定の特徴を有するコンテンツで構成される再生リストのみが生成される。このため、ユーザは、再生リストに従ったコンテンツの再生を単調に感じてしまう場合がある。
【０００７】
ところで、ユーザは、複数の特徴を有するコンテンツで構成され、各特徴を有するコンテンツを所望の比率で組合せた再生リストを生成したい場合がある。しかし、上記方法では、このような再生リストを容易に生成することができない。
【０００８】
そこで、本発明は、複数の特徴を有するコンテンツで構成され、各特徴を有するコンテンツを所望の比率で組合せた再生リストを容易に生成可能な、再生リスト生成装置、再生リスト生成方法およびプログラムを提供しようとするものである。
【課題を解決するための手段】
【０００９】
本発明の第１の観点によれば、コンテンツ特徴を各々に割当てられた２以上の色から任意の色をユーザに選択させ、選択された色のイメージを表示画面上でユーザに描画させるイメージ描画部と、描画されたイメージ全体において、各色で描画されたイメージの描画面積の色比率を求めるイメージ分析部と、再生リストを構成するコンテンツのコンテンツ特徴を割当てられた色の比率と、描画面積の色比率が一致するように、再生リストを生成する再生リスト生成部と、を備える再生リスト生成装置が提供される。
【００１０】
かかる構成によれば、コンテンツ特徴を各々に割当てられた２以上の色でイメージが描画され、各色で描画されたイメージの描画面積の色比率が求められる。そして、再生リストを構成するコンテンツのコンテンツ特徴を割当てられた色の比率と、描画面積の色比率が一致するように、再生リストが生成される。これにより、ユーザは、２以上の色を選択してイメージを直感的に描画することで、複数の特徴を有するコンテンツで構成され、各特徴を有するコンテンツを所望の比率で組合せた再生リストを容易に生成することができる。
【００１１】
また、コンテンツは、楽曲のテンポに関する情報を有する楽曲コンテンツであり、上記イメージ分析部は、各色で描画されたイメージの曲率をさらに求め、再生リスト生成部は、描画面積の色比率とともに、イメージの曲率に応じた楽曲のテンポを考慮して、再生リストを生成してもよい。
【００１２】
また、コンテンツは、楽曲のテンポに関する情報を有する楽曲コンテンツであり、上記イメージ分析部は、各色で描画されたイメージの描画速度をさらに求め、再生リスト生成部は、描画面積の色比率とともに、イメージの描画速度に応じた楽曲のテンポを考慮して、再生リストを生成してもよい。
【００１３】
また、上記イメージ分析部は、各色で描画されたイメージの描画順序をさらに求め、再生リスト生成部は、各色で描画されたイメージの描画順序に従って、各色に割当てられたコンテンツ特徴を有するコンテンツが再生されるように、再生リストを生成してもよい。
【００１４】
また、上記再生リスト生成部は、イメージ全体における描画面積に応じた数のコンテンツで構成される再生リストを生成してもよい。
【００１５】
また、選択された色に割当てられたコンテンツ特徴に該当する複数のコンテンツが存在する場合に、上記再生リスト生成部は、コンテンツ特徴に該当する複数のコンテンツからランダムに選択されたコンテンツで構成される再生リストを生成してもよい。
【００１６】
また、上記再生リスト生成装置は、他の装置との間でイメージを共有してもよい。
【００１７】
また、上記再生リスト生成装置は、タッチパネルを搭載した携帯型の情報処理装置であり、イメージ描画部は、選択された色のイメージをタッチパネル上でユーザに描画させてもよい。
【００１８】
本発明の第２の観点によれば、コンテンツ特徴を各々に割当てられた２以上の色から、任意の色をユーザに選択させ、選択された色のイメージを表示画面上でユーザに描画させるステップと、描画されたイメージ全体において、各色で描画されたイメージの描画面積の色比率を求めるステップと、再生リストを構成するコンテンツのコンテンツ特徴を割当てられた色の比率と、描画面積の色比率が一致するように、再生リストを生成するステップと、を含む再生リスト生成方法が提供される。
【００１９】
本発明の第３の観点によれば、上記再生リスト生成方法をコンピュータに実行させるためのプログラムが提供される。ここで、プログラムは、コンピュータ読取り可能な記録媒体を用いて提供されてもよく、通信手段を介して提供されてもよい。
【発明の効果】
【００２０】
以上説明したように本発明によれば、複数の特徴を有するコンテンツで構成され、各特徴を有するコンテンツを所望の比率で組合せた再生リストを容易に生成可能な、再生リスト生成装置、再生リスト生成方法およびプログラムを提供することができる。
【図面の簡単な説明】
【００２１】
【図１】本発明の実施形態に係る再生リスト生成装置の概要を示す図である。
【図２】再生リスト生成装置のハードウェア構成を示すブロック図である。
【図３】再生リスト生成装置に表示されるＧＵＩを示す図である。
【図４】再生リスト生成装置の基本動作を示すフロー図である。
【図５】再生リストの第１の生成例を示す図である。
【図６】再生リストの第２の生成例を示す図である。
【図７】再生リストの第３の生成例を示す図である。
【図８】再生リストの第４の生成例を示す図である。
【図９】再生リストの第５の生成例を示す図である。
【図１０】再生リスト生成装置間におけるイメージの共有を示す図である。
【発明を実施するための形態】
【００２２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２３】
［１．再生リスト生成装置１００の概要］
まず、図１を参照しながら、本発明の実施形態に係る再生リスト生成装置１００の概要について説明する。図１は、再生リスト生成装置１００の概要を示す図である。
【００２４】
図１に示すように、再生リスト生成装置１００は、ネットワーク等の通信回線ＮＷを介して、コンテンツサーバ１５０、他の再生リスト生成装置１００´、およびコンテンツ再生装置１６０と接続可能に構成される。ここで、再生リスト生成装置１００、１００´は、コンテンツ再生プレイヤ、ＰＤＡ、携帯電話、パーソナルコンピュータ等からなる情報処理装置である。
【００２５】
再生リスト生成装置１００は、まず、コンテンツ特徴を各々に割当てられた２以上の色から任意の色をユーザに選択させ、選択された色のイメージを表示画面上でユーザに描画させる。つぎに、再生リスト生成装置１００は、描画されたイメージ全体Ｉにおいて、各色で描画されたイメージの描画面積の色比率を求める。そして、再生リスト生成装置１００は、再生リストＰＬを構成するコンテンツのコンテンツ特徴を割当てられた色の比率と、描画面積の色比率が一致するように、再生リストＰＬを生成する。
【００２６】
再生リスト生成装置１００は、再生リストＰＬを生成するためのコンテンツ情報および／またはコンテンツを自ら管理していてもよく、自ら管理していなくてもよい。再生リスト生成装置１００は、前者の場合、自ら管理している情報および／または他の装置が管理している情報に基づいて、また、後者の場合、他の装置が管理している情報に基づいて、再生リストＰＬを生成する。
【００２７】
コンテンツ特徴とは、コンテンツのカテゴリや分類等に相当する。コンテンツ特徴は、コンテンツのカテゴリや分類等として、コンテンツ情報に属性情報として含まれていてもよく、他の属性情報から求められてもよい。
【００２８】
例えば、楽曲コンテンツのコンテンツ特徴は、「ホット」、「リラックス」、「クール」、「ポップ」等の楽曲分類に相当する。また、例えば、映像・画像コンテンツのコンテンツ特徴は、「エンターテイメント」、「スポーツ」、「ニュース」、「映画」等の映像・画像カテゴリに相当する。なお、コンテンツ特徴は、上記例に限定されるものではない。
【００２９】
コンテンツ特徴は、コンテンツ特徴を連想可能な単一の色に割当てられる。例えば、前述した楽曲コンテンツのコンテンツ特徴の場合、コンテンツ特徴「ホット」、「リラックス」、「クール」、「ポップ」は、コンテンツ特徴を連想可能な色「赤」、「緑」、「青」、「黄」に各々に割当てられる。なお、色の種類、コンテンツ特徴と色の対応関係は、上記例に限定されるものではない。
【００３０】
描画面積の色比率とは、描画されたイメージ全体Ｉにおいて、各色で描画されたイメージの描画面積の比率に相当する。例えば、描画されたイメージの全体において、色「赤」、「緑」、「青」、「黄」のイメージが４００画素、８００画素、４００画素、４００画素で各々に表示されていれば、描画面積の色比率は、赤：緑：青：黄＝０．２：０．４：０．２：０．２（合計１．０）となる。
【００３１】
再生リストＰＬは、コンテンツ特徴と色の対応関係と、描画面積の色比率に応じて生成される。つまり、再生リストＰＬは、再生リストＰＬを構成するコンテンツのコンテンツ特徴を割当てられた色の比率が描画面積の色比率に一致するように生成される。
【００３２】
例えば、前述した条件に応じて２０曲分の再生リストＰＬを生成する場合、コンテンツ特徴「ホット」を有するコンテンツ４曲、「リラックス」を有するコンテンツ８曲、「クール」を有するコンテンツ４曲、「ポップ」を有するコンテンツ４曲で構成される再生リストＰＬが生成される。
【００３３】
［２．再生リスト生成装置１００の構成］
つぎに、図２を参照しながら、再生リスト生成装置１００の構成について説明する。図２は、再生リスト生成装置１００の主要な機能構成を示すブロック図である。なお、以下では、再生リスト生成装置１００がタッチパネル１２０を有し、ＣＰＵやメモリ等から構成される携帯型の情報処理装置からなる場合を想定して説明する。
【００３４】
図２に示すように、再生リスト生成装置１００は、タッチパネル１２０、イメージ描画部１０１、イメージ格納部１０３、イメージ分析部１０５、再生リスト生成部１０７、コンテンツ再生部１０９、表示制御部１１１、コンテンツ管理部１１３、通信部１１５を含む。
【００３５】
タッチパネル１２０は、再生リスト生成プログラムのグラフィカル・ユーザ・インターフェイス（ＧＵＩ）等を表示する表示手段として機能する。また、タッチパネル１２０は、パネル面に対する指やスタイラス等の接触状態を検知し、接触位置を検出する操作手段として機能する。なお、再生リスト生成プログラムは、不図示のＲＯＭ等に記憶されており、ＣＰＵ上で実行される。
【００３６】
イメージ描画部１０１は、タッチパネル１２０に対するユーザの操作入力を通じて、タッチパネル１２０上でイメージを描画させる。イメージ描画部１０１は、イメージの色および線幅（描画条件）をユーザに選択させ、タッチパネル１２０上を指等でなぞる描画操作を通じて、所定の描画領域（後述する描画領域Ａ３）でイメージを描画させる。イメージ格納部１０３は、描画領域に描画されたイメージに対応するデータを格納する。
【００３７】
イメージ分析部１０５は、描画領域に描画されたイメージのデータをイメージ格納部１０３から読出して分析する。イメージ分析部１０５は、読出したデータから各色で描画されたイメージの描画面積を求めて、イメージ全体Ｉにおける描画面積の色比率を算出する。また、イメージ分析部１０５は、ユーザのタッチパネルに対する操作入力に基づいて、各色で描画されたイメージの曲率、描画速度を算出する。具体的には、例えば、タッチパネルの接触状態をタッチパネル上の座標と、時間で管理し、座標と時間の変化量や変化率から曲率、描画速度等を算出する。
【００３８】
再生リスト生成部１０７は、再生リストＰＬを構成するコンテンツのコンテンツ特徴を割当てられた色の比率と、描画面積の色比率が一致するように、再生リストＰＬを生成する。
【００３９】
具体的に、再生リスト生成部１０７は、まず、描画面積の色比率に基づいて、再生リストＰＬにおける各コンテンツ特徴を有するコンテンツの構成比率を求める。つぎに、再生リスト生成部１０７は、コンテンツ特徴およびコンテンツの構成比率を指定して、コンテンツ管理部１１３および／または他の装置１００´、１５０、１６０からコンテンツ情報を取得する。そして、再生リスト生成部１０７は、取得したコンテンツ情報に基づいて再生リストＰＬを生成する。
【００４０】
コンテンツ再生部１０９は、再生リストＰＬに従ってコンテンツを再生する。コンテンツ再生部１０９は、再生リストＰＬに従って、コンテンツ管理部１１３および／または通信部１１５を介して他の装置１００´、１５０、１６０からコンテンツ（コンテンツデータ）を取得し、所定の処理を施した上で再生する。
【００４１】
表示制御部１１１は、タッチパネル１２０による表示を制御する。表示制御部１１１は、ユーザによる描画操作に応じて、描画領域に描画されたイメージに対応するデータをイメージ格納部１０３から読出し、描画条件に従ったイメージをタッチパネル１２０に表示する。
【００４２】
コンテンツ管理部１１３は、再生リストＰＬを生成するために必要なデータを管理している。コンテンツ管理部１１３は、コンテンツ情報、コンテンツ（コンテンツデータ）等を格納している。
【００４３】
通信部１１５は、再生リストＰＬを生成するために必要なデータ、コマンド等を通信回線ＮＷを介して他の装置１００´、１５０、１６０との間で送受信する。通信部１１５は、イメージ全体Ｉのデータ、コンテンツ情報、コンテンツ、操作コマンド等を送受信する。
【００４４】
なお、本実施形態では、表示手段および操作手段がタッチパネル１２０により一体的に構成されるが、表示手段がモニタにより構成され、操作手段がキーボード、マウス等により構成されてもよい。
【００４５】
［３．再生リスト生成装置１００の基本動作］
つぎに、図３および図４を参照しながら、再生リスト生成装置１００の基本動作について説明する。図３は、再生リスト生成装置１００に表示されるＧＵＩを示す図である。図４は、再生リスト生成装置１００の基本動作を示すフロー図である。
【００４６】
なお、以下では、楽曲コンテンツの再生リストＰＬを生成する場合について説明するが、映像・画像コンテンツ等、他のコンテンツの再生リストＰＬを生成する場合についても同様に説明することができる。
【００４７】
図３に示すように、タッチパネル１２０には、再生リスト生成プログラム（再生リストエディタ）のＧＵＩが表示される。ＧＵＩは、描画色選択領域Ａ１、描画線幅選択領域Ａ２、描画領域Ａ３、処理選択領域Ａ４で構成される。
【００４８】
描画色選択領域Ａ１には、描画領域Ａ３で描画するイメージの色を選択するために、「赤」、「緑」、「青」、「黄」の各色ボタンＢ１、Ｂ２、Ｂ３、Ｂ４が表示されている。描画線幅選択領域Ａ２には、イメージの線幅を選択するために、「ペン」、「ブラシ」の各線幅ボタンＢ５、Ｂ６が表示されている。なお、イメージの線幅とは、イメージとして描画される線画の線幅を意味する。また、イメージの色の種類および数、イメージの線幅の種類および数は、上記例に限定されるものではない。
【００４９】
描画領域Ａ３には、選択された描画条件（イメージの色、線幅）でイメージを描画するために、白や黒等、描画キャンバスとして利用される領域が表示されている。処理選択領域Ａ４には、再生リストの生成に関連する各種処理を選択するために、「イメージ決定」、「コンテンツ再生」、「リスト再生成」、「リスト出力」の各処理ボタンＢ７、Ｂ８、Ｂ９、Ｂ１０が表示されている。
【００５０】
ユーザは、描画色選択領域Ａ１で所望の色に対応する色ボタン（ボタンＢ１〜Ｂ４のいずれか）を操作し、描画線幅選択領域Ａ２で所望の線幅に対応する線幅ボタン（ボタンＢ５またはＢ６）を操作した上で、描画領域Ａ３を指Ｐ等でなぞることで所望のイメージを描画することができる。なお、図３には、色ボタン「赤」Ｂ１および線幅ボタン「ペン」Ｂ４が選択され、赤色のイメージＩｒの描画が開始される状態が示されている。
【００５１】
図４に示すように、まず、再生リスト生成部１０７は、コンテンツ特徴を連想可能な色にコンテンツ特徴を割当てる（ステップＳ１０１）。例えば、コンテンツ特徴として、楽曲分類「ホット」、「リラックス」、「クール」、「ポップ」を適用する場合、各楽曲分類が色「赤」、「緑」、「青」、「黄」に各々に割当てられる。つぎに、イメージ描画部１０１は、ユーザの操作入力に応じて、イメージ描画処理を開始する。
【００５２】
イメージ描画部１０１は、ユーザによる色ボタンおよび線幅ボタンの操作に応じて、描画されるイメージの色および線幅（描画条件）を設定する（Ｓ１０３）。例えば、ユーザが色ボタン「赤」Ｂ１を操作すると、描画されるイメージの色が「赤」に設定される。また、ユーザが「ペン」ボタンＢ５を操作すると、描画されるイメージの線幅が５画素に設定され、「ブラシ」ボタンＢ６を操作すると、描画されるイメージの線幅が１０画素に設定される。なお、線幅と画素数の対応関係は、上記例に限定されるものではない。
【００５３】
イメージ描画部１０１は、設定された描画条件に従ってユーザにイメージを描画させる（Ｓ１０５）。イメージ描画部１０１は、描画操作に応じてイメージに対応するデータをイメージ格納部１０３に供給し、イメージ格納部１０３は、データを格納する。
【００５４】
表示制御部１１１は、タッチパネル１２０を制御し、描画操作に対応するイメージを描画領域Ａ３に表示する（Ｓ１０７）。表示制御部１１１は、イメージ格納部１０３からデータを読出し、対応するイメージをタッチパネル１２０に表示させる。例えば、イメージの色および線幅が「赤」および「ペン」に設定されている状態で、ユーザが描画領域Ａ３で円弧を描くように描画操作をすると、描画操作に対応する赤色、線幅５画素の円弧が描画領域Ａ３に表示される。
【００５５】
イメージ描画部１０１は、ユーザにより「イメージ決定」ボタンＢ７が操作されるまでイメージ描画処理を継続し、「イメージ決定」ボタンＢ７が操作されると、イメージ描画処理を終了する（Ｓ１０９）。
【００５６】
イメージ描画処理が終了すると、イメージ分析部１０５は、イメージに対応するデータをイメージ格納部１０３から読出し、描画面積の色比率を算出する（Ｓ１１１）。描画面積の色比率は、描画領域Ａ３に各色で表示されている画素を計数することで行われる。なお、後述する変形例では、イメージ分析部１０５が描画面積の色比率とともに、イメージの曲率、描画速度を算出する。
【００５７】
例えば、描画されたイメージ全体Ｉにおいて、色「赤」、「緑」、「青」、「黄」で表示されている画素の数が各々に４００画素、８００画素、４００画素、４００画素である場合を想定する。この場合、描画面積の色比率は、赤：緑：青：黄＝０．２：０．４：０．２：０．２（合計１．０）として算出される。
【００５８】
描画面積の色比率が算出されると、まず、再生リスト生成部１０７は、描画面積の色比率に応じて、再生リストＰＬを構成するために選択される、各コンテンツ特徴を有するコンテンツの数を設定する（Ｓ１１３）。例えば、前述した条件で２０曲分の再生リストＰＬを生成する場合、コンテンツ特徴「ホット」、「リラックス」、「クール」、「ポップ」を有するコンテンツの数が各々に４曲、８曲、４曲、４曲に設定される。
【００５９】
つぎに、再生リスト生成部１０７は、各コンテンツ特徴を有する任意のコンテンツのコンテンツ情報を取得する（Ｓ１１５）。コンテンツ情報は、各コンテンツ特徴および各コンテンツ特徴を有するコンテンツの数を指定して、コンテンツ管理部１１３、コンテンツサーバ１５０、他の再生リスト生成装置１００´、および／またはコンテンツ再生装置１６０から取得される。なお、コンテンツ情報を複数の装置から取得する場合、コンテンツ情報は、所定の比率に応じて取得されてもよく、ランダムな比率で取得されてもよい。
【００６０】
再生リスト生成部１０７は、取得したコンテンツ情報に対応するコンテンツで構成される再生リストＰＬを生成する（Ｓ１１７）。再生リストＰＬは、取得したコンテンツ情報に含まれるコンテンツの識別情報を関連付けて構成され、例えば、コンテンツの識別情報をランダムに並べて生成される。
【００６１】
コンテンツ再生部１０９は、ユーザによる「コンテンツ再生」ボタンＢ８の操作に応じて、再生リストＰＬに従ってコンテンツを再生する（Ｓ１１９、Ｓ１２１）。ここで、再生リスト生成装置１００は、再生リストＰＬに従ってコンテンツ（コンテンツデータ）をコンテンツ管理部１１３および／または他の装置１００´、１５０、１６０から取得して再生する。これにより、ユーザは、再生リストＰＬに従ったコンテンツの再生を試聴することができる。
【００６２】
再生リスト生成部１０７は、ユーザによる「リスト再生成」ボタンＢ９の操作に応じて、再生リストＰＬを新たに生成する（Ｓ１２３、Ｓ１２５）。この場合、ステップＳ１１５以降の処理が再び実行される。つまり、各コンテンツ特徴を有する任意のコンテンツのコンテンツ情報が再び取得される。
【００６３】
ここで、コンテンツ情報は、各コンテンツ特徴を有する任意のコンテンツについて取得されるので、従前に取得されたコンテンツ情報とは異なるコンテンツ情報が取得される。これにより、ユーザは、ステップＳ１２１の処理で、新たに生成された再生リストＰＬに従ったコンテンツの再生を視聴することができる。
【００６４】
再生リスト生成部１０７は、ユーザによる「リスト出力」ボタンＢ１０の操作に応じて、生成された再生リストＰＬまたは新たに生成された再生リストＰＬを出力する（Ｓ１２５、Ｓ１２７）。つまり、再生リストＰＬは、コンテンツ管理部１１３に管理され、および／または通信部１１５を介して他の装置１００´、１５０、１６０に出力される。
【００６５】
［４．再生リストＰＬの生成例］
つぎに、図５〜図９を参照しながら、再生リストＰＬの生成例について説明する。図５〜図９は、再生リストＰＬの第１〜第５の生成例を示す図である。
【００６６】
図５〜図９には、第１〜第５の生成例が示されている。以下では、コンテンツ特徴「ホット（Ｈ）」、「リラックス（Ｒ）」、「クール（Ｃ）」、「ポップ（Ｐ）」が色「赤」、「緑」、「青」、「黄」に各々に割当てられている場合を想定する。
【００６７】
（第１の生成例）
図５に示す第１の生成例では、赤色のペンによるイメージＩｒ、緑色のブラシによるイメージＩｇ、青色のペンによるイメージＩｂ、黄色のブラシによるイメージＩｙの順序でイメージ全体Ｉが描画されている。
【００６８】
描画面積の色比率は、赤：緑：青：黄＝０．２：０．４：０．２：０．２として算出されている。よって、２０曲分の再生リストＰＬを生成する場合、コンテンツ特徴「ホット（Ｈ）」、「リラックス（Ｒ）」、「クール（Ｃ）」、「ポップ（Ｐ）」を有するコンテンツが４曲、８曲、４曲、４曲の比率で選択される。そして、選択された２０曲のコンテンツをランダムに並べた再生リストＰＬが生成される。
【００６９】
（第２の生成例）
図６に示す第２の生成例では、第１の生成例と同様の比率で、２０曲のコンテンツが選択される。ここで、第２の生成例では、選択された２０曲のコンテンツをランダムに並べる代わりに、各色のイメージの描画順序に従って並べた再生リストＰＬが生成される。
【００７０】
つまり、第２の生成例では、各色のイメージＩｒ，Ｉｇ、Ｉｂ、Ｉｙの描画順序に従って、コンテンツ特徴「ホット（Ｈ）」、「リラックス（Ｒ）」、「クール（Ｃ）」、「ポップ（Ｐ）」を各々に有するコンテンツを順番に並べた再生リストＰＬが生成される。
【００７１】
具体的には、コンテンツ特徴「ホット（Ｈ）」を有するコンテンツ１曲、「リラックス（Ｒ）」を有するコンテンツ２曲、「クール（Ｃ）」を有するコンテンツ１曲、「ポップ（Ｐ）」を有するコンテンツ１曲を順番に並べたコンテンツの組合せ４つからなる再生リストＰＬが生成される。なお、コンテンツの並び順は、各色のイメージＩｒ、Ｉｇ、Ｉｂ、Ｉｙの描画順序と逆の順序、つまり「ポップ（Ｐ）」、「クール（Ｃ）」、「リラックス（Ｒ）」、「ホット（Ｈ）」の順序としてもよい。
【００７２】
（第３の生成例）
図７に示す第３の生成例では、赤色のペンによるイメージＩｒ、緑色のブラシによるイメージＩｇの順序でイメージ全体Ｉが描画されている。ここで、イメージＩｒは、曲率の大きいイメージ（曲線的なイメージ）として描画され、イメージＩｇは、曲率の小さいイメージ（直線的なイメージ）として描画されている。
【００７３】
描画面積の色比率は、赤：緑＝０．４：０．６として算出され、イメージＩｒおよびイメージＩｇの曲率は、０．１および１．０として算出されている。２０曲分の再生リストＰＬを生成する場合、コンテンツ特徴「ホット（Ｈ）」、「リラックス（Ｒ）」を有するコンテンツが８曲、１２曲の比率で選択される。
【００７４】
ここで、第３の生成例では、描画面積の色比率とともに、各色で描画されたイメージの曲率に応じたコンテンツが選択される。具体的には、各色のイメージの曲率に対応するテンポを有するコンテンツが選択される。
【００７５】
例えば、イメージＩｒおよびイメージＩｇの曲率が０．１および１．０であるので、コンテンツ特徴「ホット（Ｈ）」を有するコンテンツがテンポの遅いコンテンツとして選択され、コンテンツ特徴「リラックス（Ｒ）」を有するコンテンツがテンポの速いコンテンツとして選択される。なお、コンテンツのテンポは、コンテンツ情報に属性情報として含まれていてもよく、他の属性情報から求められてもよい。
【００７６】
（第４の生成例）
図８に示す第４の生成例では、イメージＩｒは、相対的に小さい速度で描画され、イメージＩｇは、相対的に大きい速度で描画されている。描画面積の色比率は、第３の生成例と同様の比率として算出され、イメージＩｒおよびイメージＩｇの描画速度は、０．１および１．０として算出されている。
【００７７】
ここで、第４の生成例では、描画面積の色比率とともに、イメージの描画速度に応じたコンテンツが選択される。具体的に、各色のイメージの描画速度に対応するテンポを有するコンテンツが選択される。
【００７８】
よって、コンテンツ特徴「ホット（Ｈ）」を有するコンテンツがテンポの遅いコンテンツとして選択され、コンテンツ特徴「リラックス（Ｒ）」を有するコンテンツがテンポの速いコンテンツとして選択される。
【００７９】
（第５の生成例）
図９に示す第５の生成例では、イメージＩｒ、Ｉｇが第４の生成例のイメージの１／２の描画面積で描画されている。描画面積の色比率は、第４の生成例と同様の比率として算出されている。ここで、第５の生成例では、イメージ全体Ｉの描画面積に応じた数のコンテンツで構成される再生リストＰＬが生成される。
【００８０】
例えば、第４の生成例では、２０曲分の再生リストＰＬが生成される場合を想定する。この場合、第５の生成例では、イメージ全体Ｉの描画面積が第４の生成例の描画面積の１／２であるので、１０曲分の再生リストＰＬ、つまり、コンテンツ特徴「ホット（Ｈ）」を有するコンテンツ４曲、「リラックス（Ｒ）」を有するコンテンツ６曲で構成される再生リストＰＬが生成される。
【００８１】
［５．イメージの共有］
つぎに、図１０を参照しながら、再生リスト生成装置１００、１００´間におけるイメージの共有について説明する。なお、以下では、再生リスト生成装置１００、１００´間でイメージを共有する場合について説明するが、再生リスト生成装置１００と、再生リスト生成プログラムを実行可能なコンテンツ再生装置１６０との間でイメージを共有してもよい。
【００８２】
図１０に示すように、再生リスト生成装置１００、１００´では、イメージ描画処理を通じて描画されたイメージＩ（イメージ全体）が共有される。例えば、再生リスト生成装置１００は、ユーザにより描画されたイメージＩを再生リスト生成装置１００´に送信する。イメージＩは、再生リスト生成装置１００で分析処理を施された後に送信されることが望ましい。
【００８３】
再生リスト生成装置１００´は、再生リスト生成装置１００からイメージＩを受信し、受信したイメージＩを用いて再生リスト生成処理を行う。再生リスト生成処理では、描画面積の色比率に応じて、各コンテンツ特徴を有するコンテンツの数が設定される。
【００８４】
ここで、再生リスト生成装置１００、１００´間で、同一のコンテンツ特徴が適用されている場合、再生リスト生成装置１００、１００´では、同一のコンテンツ特徴を有するコンテンツが同一の比率で組合された再生リストＰＬ、ＰＬ´が生成される。ただし、各コンテンツ特徴を有する任意のコンテンツのコンテンツ情報が取得されるので、再生リスト生成装置１００、１００´間では、異なるコンテンツからなる再生リストＰＬ、ＰＬ´が生成される。
【００８５】
よって、再生リスト生成装置１００、１００´のユーザは、イメージＩを共有することで、同一のコンテンツ特徴を有するコンテンツが同一の比率で組合された再生リストＰＬ、ＰＬ´に従って、コンテンツを再生することができる。
【００８６】
一方、再生リスト生成装置１００、１００´間で、異なるコンテンツ特徴が適用されている場合、再生リスト生成装置１００、１００´では、異なるコンテンツ特徴を有するコンテンツが同一の比率で組合された再生リストＰＬ、ＰＬ´が生成される。
【００８７】
例えば、コンテンツ特徴として、再生リスト生成装置１００で楽曲分類「ホット」、「リラックス」、「クール」、「ポップ」が適用され、再生リスト生成装置１００´で楽曲カテゴリ「ラテン」、「ヒーリング」、「ジャズ」、「ポップス」が適用されている場合を想定する。また、コンテンツ特徴「ホット」と「ラテン」、「リラックス」と「ヒーリング」、「クール」と「ジャズ」、「ポップ」と「ポップス」が色「赤」、「緑」、「青」、「黄」に各々に割当てられているとする。
【００８８】
この場合、再生リスト生成装置１００、１００´で生成される再生リストＰＬ、ＰＬ´では、コンテンツ特徴「ホット」、「リラックス」、「クール」、「ポップ」を有するコンテンツの比率と、コンテンツ特徴「ラテン」、「ヒーリング」、「ジャズ」、「ポップス」を有するコンテンツの比率が同一となる。
【００８９】
よって、再生リスト生成装置１００、１００´のユーザは、イメージＩを共有することで、コンテンツ特徴自体が異なるが互いに関連するコンテンツ特徴を有するコンテンツが同一の比率で組合された再生リストＰＬ、ＰＬ´に従って、コンテンツを再生することができる。
【００９０】
［５．まとめ］
以上説明したように、本発明の実施形態に係る再生リスト生成装置１００によれば、コンテンツ特徴を各々に割当てられた２以上の色でイメージＩが描画され、各色で描画されたイメージＩｒ、Ｉｇ、Ｉｂ、Ｉｙの描画面積の色比率が求められる。そして、再生リストＰＬを構成するコンテンツのコンテンツ特徴を割当てられた色の比率と、描画面積の色比率が一致するように、再生リストＰＬが生成される。これにより、ユーザは、２以上の色を選択してイメージＩを直感的に描画することで、複数の特徴を有するコンテンツで構成され、各特徴を有するコンテンツを所望の比率で組合せた再生リストＰＬを容易に生成することができる。
【００９１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９２】
１００、１００´    再生リスト生成装置
１０１    イメージ描画部
１０３    イメージ格納部
１０５    イメージ分析部
１０７    再生リスト生成部
１０９    コンテンツ再生部
１１１    表示制御部
１１３    コンテンツ管理部
１１５    通信部
１２０    タッチパネル
１５０    コンテンツサーバ
１６０    コンテンツ再生装置
【図１】
2011123561.tif 000003
【図２】
2011123561.tif 000004
【図３】
2011123561.tif 000005
【図４】
2011123561.tif 000006
【図５】
2011123561.tif 000007
【図６】
2011123561.tif 000008
【図７】
2011123561.tif 000009
【図８】
2011123561.tif 000010
【図９】
2011123561.tif 000011
【図１０】
2011123561.tif 000012